(57)【特許請求の範囲】
【請求項１】
屋根下地を鉄筋コンクリート造により形成し、該鉄筋コンクリート造上に型鋼材よりなる鉄骨下地を形成し、該鉄骨下地上に防虫野地板を全面に形成し、該防虫野地板上に防水シートを全面に敷設し、該防水シート上に合成樹脂発泡体からなる断熱材を表面材と裏面材で挟んだ金属製屋根材を形成したことを特徴とする屋根構造。
【発明の詳細な説明】
【技術分野】
【０００１】
本発明は、耐震性、防水性、防虫性、施工性、等を向上した屋根構造に係るものである。
【背景技術】
【０００２】
一般に、金属製板材をロール成形、プレス成形等して加工した屋根材、あるいは瓦を用いて形成した屋根構造は数多く上市されている。（例えば、特許文献１〜４参照）。
【０００３】
【特許文献１】実開昭５１−１２７６１８号公報
【特許文献２】実開昭５２−０３４５１９号公報
【特許文献３】特開昭５８−１５０６４３号公報
【特許文献４】特開平８−０６８１６６号公報
【発明の開示】
【発明が解決しようとする課題】
【０００４】
特許文献１、２においては、木造下地よりなる躯体上に木製野地板を形成し、野地板上に屋根材を形成する構造が記載されている。また、特許文献３は木造の下地上にＡＬＣ（軽量気泡コンクリート）板を形成し、このＡＬＣ板上に屋根材（瓦）を形成する構造が記載されている。さらに、特許文献４は鉄筋コンクリート上に軽量気泡コンクリートパネルを野地板として使用した構造が記載されている。しかしながら、特許文献１〜２においては躯体が木製のため大きな地震等の揺れに対して強度不足となると共に、高温多湿の地域においては、虫害、腐朽の危険性があった。また、特許文献４においては躯体が鉄筋コンクリートであるために地震等の揺れに対しては強いものの、軽量気泡コンクリートパネルを野地板として使用するために、コスト・施工性に問題があった。
【課題を解決するための手段】
【０００５】
本発明はこのような欠点を解決するために、屋根下地を鉄筋コンクリート造により形成し、鉄筋コンクリート造上に型鋼材よりなる鉄骨下地を形成し、鉄骨下地上に防虫野地板を全面に形成し、防虫野地板上に防水シートを全面に敷設し、防水シート上に合成樹脂発泡体からなる断熱材を表面材と裏面材で挟んだ金属製屋根材を形成した屋根構造を提供するものである。
【発明の効果】
【０００６】
以上説明したように、本発明に係る屋根構造によれば、鉄筋コンクリート造−鉄骨下地−防虫野地板−防水シート−金属製屋根材の構成とすることにより、（１）耐震性・耐久性が向上する。（２）シロアリなどの虫害が防止出来る。（３）トータルコストを削減出来る。（４）施工性が向上する。さらに、防虫野地板を貫通させずに屋根材を固定具により固定することにより、（５）防水性がさらに向上する。等の特徴、効果がある。
【図面の簡単な説明】
【０００７】
【図１】本発明に係る屋根構造の代表的一例を示す説明図である。
【図２】本発明に係る屋根構造の代表的一例の軒先部分を示す拡大断面図である。
【図３】本発明に係る屋根構造の代表的一例を示す拡大断面図である。
【図４】本発明に係る屋根構造に使用する屋根材の代表的一例を示す説明図である。
【図５】本発明に係る屋根構造に使用する唐草下地と軒先唐草の一実施例を示す断面図である。
【図６】本発明に係る屋根構造の軒先部分の施工状態を示す拡大断面図である。
【図７】本発明に係る屋根構造の施工順序の代表的一例を示す説明図である。
【図８】本発明に係る屋根構造の施工順序の代表的一例を示す説明図である。
【発明を実施するための形態】
【０００８】
以下に図面を用いて本発明に係る屋根構造について詳細に説明する。図１は本発明に係る屋根構造の代表的一例を示す説明図、図２は本発明に係る屋根構造の代表的一例の軒先部分を示す拡大断面図、図３は本発明に係る屋根構造の代表的一例を示す拡大断面図である。
【０００９】
図４（ａ）、（ｂ）は本発明に係る屋根構造に使用する金属製屋根材Ｂと断熱材Ｃ、裏面材Ｄよりなる屋根材Ａの代表的一例を示す説明図である。
【００１０】
屋根下地αは、図１〜図３に示すように柱・梁の主要構造部および床・天井を鉄筋コンクリート造１で構成したものである。
【００１１】
鉄筋コンクリート造１（ＲＣ造）とは、鉄の引張強度、コンクリートが持つ高い圧縮強度の相乗効果により、耐久性と強度を併せ持った構造である。また、高温多湿な環境下において、木材などのシロアリによる虫害、腐朽による劣化が皆無となるものである。
【００１２】
２は鉄骨下地であり、鉄筋コンクリート造１上のＨ型鋼材等に溶接、あるいはボルト・ナット、アンカーボルト等の固定方法により固定するものであり、図ではＣ型鋼材を縦横に形成したものである。
【００１３】
３は防虫野地板であり、合板、耐水合板、構造用合板（ＯＳＢ）、セルロース繊維強化セメント板、木毛セメント板等の強度、防虫性、耐水性、耐腐朽性、を兼ね備えたものを使用するものである。また、これらに防虫剤を含浸し、さらに防虫性を向上し、高温多湿な環境下においても、シロアリによる虫害、腐朽による劣化が皆無とすることも可能である。勿論、防虫野地板３は屋根材Ａの固定下地としても機能するものである。
【００１４】
また、防虫野地板３に対して、固定具βが防虫野地板３を貫通しないように形成することにより、防虫野地板３に孔を開けることなく固定出来るために防水性が向上するものである。
【００１５】
４は防水シートであり、アスファルトルーフィング、ゴムアスファルトルーフィング、等を使用するものであり、屋根材Ａ間より万が一に屋内へ浸入した雨水等が、防虫野地板３にまで浸入しないように形成したものである。
【００１６】
金属製屋根材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。
【００１７】
さらに説明すると、金属製屋根材Ｂは長尺板状であり、図４（ａ）、（ｂ）に示すように、略水平面状の化粧面５と、裏面６と、化粧面５の水下側端部を屋内側に垂下した段差化粧面７と、水上側に開口するように略コ字状に屈曲して差込縁８を形成し、化粧面５と段差化粧面７と差込縁８とから略Ｕ字状の引っ掛け溝９を形成して雄型連結部１０としたものである。
【００１８】
また、図４（ａ）、（ｂ）に示すように、化粧面５の水上側端部には化粧面５の先端を水下側に開口して断面略Ｕ字状に形成した前記差込縁８と嵌合する嵌合溝１１と、嵌合溝１１の上縁となる嵌合縁１２と、固定面１３を形成し雌型連結部１４としたものである。
【００１９】
断熱材Ｃは防水材、断熱材、補強材、嵩上げ材、防音材、吸音材、緩衝材、防火材、結露防止材、等として機能するものであり、主に、合成樹脂発泡体を使用するものである。その素材としては、スチレンフォーム、ポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材、もしくは裏面材の裏面側に吐出させ、加熱して反応・発泡・硬化させて形成したものである。
【００２０】
また、断熱材Ｃ中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００２１】
裏面材Ｄはクラフト紙、アルミ蒸着紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。勿論、金属製屋根材Ｂと同じ素材により形成しても良いものである。
【００２２】
Ｅは唐草下地であり、図５（ａ）に示すように、平面状の固定面Ｅ１と、固定面Ｅ１の棟側先端を折り返した舌片Ｅ２と、固定面Ｅ１の軒側先端を下方垂下したカバー面Ｅ３と、カバー面Ｅ３の下端を内方に折り返した舌片Ｅ４とから長尺状に形成したものである。
【００２３】
軒先唐草Ｆは図５（ｂ）に示すように、平面状の固定片Ｆ１と、固定片Ｆ１の棟側先端を折り返した舌片Ｆ２と、固定片Ｆ１の軒側先端を上方に突出した立ち上がり片Ｆ４と、立ち上がり片Ｆ４の先端を軒側に折り返した係止片Ｆ５とからなる係止部Ｆ３と、立ち上がり片Ｆ４の根元を下方に垂下した化粧片Ｆ６と、化粧片Ｆ６の下端を内方に折り返した舌片Ｆ７とから長尺状に形成したものである。
【００２４】
唐草下地Ｅと軒先唐草Ｆは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。
【００２５】
唐草下地Ｅは、軒先部分のカバー材、防水材、補強材として機能するものである。
【００２６】
軒先唐草Ｆは、軒先部分のカバー材、屋根材Ａの軒先部分の固定部材、張り始めのスタート部材として機能するものである。
【００２７】
Ｇは両面接着テープであり、軒先部分の軒先唐草Ｆと防水シート４間を連続状に接着し、防水性の向上を図るために形成されたものである。
【００２８】
次に、本発明に係る屋根構造の施工方法について詳細に説明する。まず、図７ａ）に示すように、鉄筋コンクリート造１よりなる屋根下地α上にＣ型鋼材よりなる鉄骨下地２を縦横に形成する。
【００２９】
Ｃ型鋼材よりなる鉄骨下地２の施工が完了したら、図７（ｂ）に示すようにＣ型鋼材よりなる鉄骨下地２上に、構造用合板よりなる防虫野地板３を全面に形成する。
【００３０】
構造用合板よりなる防虫野地板３の施工が完了したら、図７（ｃ）に示すように、唐草下地Ｅと軒先唐草Ｆを防虫野地板３上の軒先に固定具βを介して連続状で固定する。
【００３１】
唐草下地Ｅと軒先唐草Ｆの施工が完了したら、図７（ｃ）に示すように両面接着テープＧを軒先唐草Ｆの固定片Ｆ１上に連続状に固定し、その後、アスファルトルーフィングよりなる防水シート４を軒から棟まで全面に固定する。
【００３２】
アスファルトルーフィングよりなる防水シート４の施工が完了したら、図８（ａ）、（ｂ）に示すように、屋根材Ａの雄雌連結と、屋根材Ａの固定片１３を構造用合板よりなる防虫野地板３を貫通しないようにして固定具βにより固定する。このような工程を順次繰り返す事により、軒から棟まで屋根材Ａを施工し、図１に示すように形成するものである。
【符号の説明】
【００３３】
α  屋根下地
β  固定具
Ａ  屋根材
Ｂ  金属製屋根材
Ｃ  断熱材
Ｄ  裏面材
Ｅ  唐草下地
Ｅ１  固定面
Ｅ２  舌片
Ｅ３  カバー面
Ｅ４  舌片
Ｆ  軒先唐草
Ｆ１  固定片
Ｆ２  舌片
Ｆ３  係止部
Ｆ４  立ち上がり片
Ｆ５  係止片
Ｆ６  化粧片
Ｆ７  舌片
Ｇ  両面接着テープ
１  鉄筋コンクリート造
２  鉄骨下地
３  防虫野地板
４  防水シート
５  化粧面
６  裏面
７  段差化粧面
８  差込縁
９  引っ掛け溝
１０  雄型連結部
１１  嵌合溝
１２  嵌合縁
１３  固定片
１４  雌型連結部
【図１】
0006742694.tif 000002
【図２】
0006742694.tif 000003
【図３】
0006742694.tif 000004
【図４】
0006742694.tif 000005
【図５】
0006742694.tif 000006
【図６】
0006742694.tif 000007
【図７】
0006742694.tif 000008
【図８】
0006742694.tif 000009